(57)【要約】【課題】本体ケースから前方へ突出するリブ等を設けることなく、水滴が比較的小さい場合であっても確実に集音孔への水滴の停溜を防止することができる構造を備えたインターホン子機を提供する。【解決手段】本体ケース５の前面に、マイクへ音声等を伝達するための集音孔１２を開設するとともに、集音孔１２に溜まる水を下方へ導くための第１の水抜き溝１３を、集音孔１２の下端から下方へ延設した。したがって、集音孔１２を覆うように水が溜まり、マイクに声が届きにくくなる等といった事態を防止することができるとともに、本体ケース５内への水の浸入防止機能の向上をも図ることができる。【選択図】図４
2009147737.tif 000002
【特許請求の範囲】
【請求項１】
居室内等に設置される居室親機との間で通話するためのマイクを本体ケースの内部に内蔵してなるインターホン子機であって、
前記本体ケースの前面に、前記マイクへ音声等を伝達するための集音孔を開設するとともに、前記集音孔に溜まる水を下方へ導くための第１の水抜き溝を、前記集音孔の下端から下方へ延設したことを特徴とするインターホン子機。
【請求項２】
前記本体ケースの前面に化粧パネルが取り付けられており、
前記化粧パネルに、前記集音孔を露出させるためのマイク孔を設けるとともに、前記マイク孔を介して前記本体ケースと前記化粧パネルとの隙間に浸入した水を下方へ導くための第２の水抜き溝を、前記化粧パネルの後面で、且つ、前記マイク孔の下端から下方へ凹設したことを特徴とする請求項１に記載のインターホン子機。
【請求項３】
前記化粧パネルの後面で、前記第２の水抜き溝及び前記マイク孔の左右外側及び上側を囲むように凸条部を設け、当該凸条部が、前記化粧パネルの前記本体ケースへの取付状態において前記本体ケース前面と当接又は近接して、前記集音孔の左右側方及び上方を覆うことを特徴とする請求項２に記載のインターホン子機。
【発明の詳細な説明】
【技術分野】
【０００１】
本発明は、玄関等に設置され、来訪者が居住者を呼び出すためのインターホン子機に関するものである。
【背景技術】
【０００２】
従来、玄関等の屋外に設置されることが多いインターホン子機にあっては、居室親機との間での通話のために設けられている集音孔を覆うように水滴が溜まり、良好な受話音量が確保できなくなってしまうという問題が解決すべき課題の一つとしてある。そこで、当該問題の解決を図るべく、本体ケース前面に穿設された集音孔の下方に、前方へ突出するリブを設け、当該リブにより集音孔に溜まろうとする水滴の表面張力のバランスを破り、下方へ流してしまうとした構成（たとえば特許文献１）が提案されている。
【０００３】
【特許文献１】特開２００１−１７７６１６号公報
【発明の開示】
【発明が解決しようとする課題】
【０００４】
しかしながら、上記特許文献１に記載の構成では、水滴が比較的大きくなるような場合には効果的であるものの、水滴が比較的小さい、すなわち集音孔へ流れてくる水の量が少ない場合には、リブが十分に停溜防止機能を発揮できないばかりか、逆にリブの上面等に水滴が停溜し、集音孔の集音機能を阻害するといった事態が生じていた。
また、本体ケースの前方へリブを突設しているため、本体ケースの前面に化粧パネルを取り付ける際、化粧パネルに、リブを露出させるための開口部やリブを収納するための収納部等といった構成要素を設ける必要があるため、取付可能な化粧パネルのデザインや構成が限定され、従来使用していたようなタイプ（すなわち、開口部や収納部を備えていないタイプ）の化粧パネルを取り付けることができない等といった問題もあった。
【０００５】
そこで、本発明は、上記問題に鑑みなされたものであって、本体ケースから前方へ突出するリブ等を設けることなく、水滴が比較的小さい場合であっても確実に集音孔への水滴の停溜を防止することができる構造を備えたインターホン子機を提供しようとするものである。
【課題を解決するための手段】
【０００６】
上記目的を達成するために、本発明のうち請求項１に記載の発明は、居室内等に設置される居室親機との間で通話するためのマイクを本体ケースの内部に内蔵してなるインターホン子機であって、本体ケースの前面に、マイクへ音声等を伝達するための集音孔を開設するとともに、集音孔に溜まる水を下方へ導くための第１の水抜き溝を、集音孔の下端から下方へ延設したことを特徴とする。
この構成によれば、集音孔に停溜しようとする水を第１の水抜き溝により下方へ流すことができるため、集音孔を覆うように水が溜まり、マイクに声が届きにくくなる等といった事態を防止することができるとともに、本体ケース内への水の浸入防止機能の向上をも図ることができる。また、本体ケース前面から更に前方へ突出する突起を設ける等しているわけではないため、本体ケースの前面を比較的フラット状に成形することができる。したがって本体ケースに化粧パネルを取り付けるとした際に、化粧パネル側の構成を簡素化することができるし、従来の化粧パネル等を取り付けることも可能であり、汎用性に富む。
【０００７】
請求項２に記載の発明は、請求項１に記載の発明において、本体ケースの前面に化粧パネルが取り付けられており、化粧パネルに、集音孔を露出させるためのマイク孔を設けるとともに、マイク孔を介して本体ケースと化粧パネルとの隙間に浸入した水を下方へ導くための第２の水抜き溝を、化粧パネルの後面で、且つ、マイク孔の下端から下方へ凹設したことを特徴とする。
この構成によれば、化粧パネルの後面に設けた第２の水抜き溝により、マイク孔を介して化粧パネルと本体ケース前面との隙間に浸入してきた水を下方へ流すことができ、水の集音孔への停溜防止機能、及び本体ケース内への浸入防止機能の一層の向上を図ることができる。
【０００８】
請求項３に記載の発明は、請求項２に記載の発明において、化粧パネルの後面で、第２の水抜き溝及びマイク孔の左右外側及び上側を囲むように凸条部を設け、当該凸条部が、化粧パネルの本体ケースへの取付状態において本体ケース前面と当接又は近接して、集音孔の左右側方及び上方を覆うことを特徴とする。
この構成によれば、マイク孔及び第２の水抜き溝の外側を囲むように設けられた凸条部により、マイク孔及び集音孔の左右側方及び上方が覆われるため、マイク孔を介して浸入した水の周囲への不必要な拡散を防止することができる。したがって、本体ケース内への水の浸入防止機能の更なる向上は勿論のこと、第２の水抜き溝による水抜き動作をより効率良く行うことができる。また、当該凸条部により、たとえばスピーカ部から報音された音声等のマイクへの到達を抑止することができ、好適な通話が可能となる。
【発明の効果】
【０００９】
本発明によれば、本体ケースの前面に、マイクへ音声等を伝達するための集音孔を開設するとともに、集音孔に溜まる水を下方へ導くための第１の水抜き溝を、集音孔の下端から下方へ延設しているため、集音孔を覆うように水が溜まり、マイクに声が届きにくくなる等といった事態を防止することができるとともに、本体ケース内への水の浸入防止機能の向上をも図ることができる。
【発明を実施するための最良の形態】
【００１０】
以下、本発明の一実施形態となるインターホン子機について、図面にもとづき説明する。
図１は、インターホン子機１を正面側から示した説明図であり、図２は、インターホン子機１を底面側から示した説明図である。また、図３は、化粧パネル２を取り外した状態のインターホン子機１を示した説明図である。
【００１１】
インターホン子機１は、玄関の壁面等に図示しない取付台を介して設置され、居室内等に設置される居室親機（図示せず）と通話可能に接続されるものであって、前ケース３と後ケース４とを組み付けてなる本体ケース５と、該本体ケース５の前面に、前ケース３の一部前面を覆うようにして取り付けられる化粧パネル２とからなる。そして、本体ケース５には、来訪者が居住者を呼び出すための呼出ボタン６、通話のためのマイク部７及びスピーカ部８、来訪者を撮像するためのカメラ部９、化粧パネル２を取り付けるための係止孔１０、１０・・等が備えられている。
【００１２】
ここで、本発明の要部となるマイク部７について、図４をもとに詳細に説明する。図４は、本体ケース５のマイク部７近傍を拡大して示した斜視説明図である。
マイク部７は、本体ケース５内に設けられたマイク（図示せず）と、当該マイクの前方位置（前ケース３）に凹設された有底の集音空間１１と、マイクへ音声等を伝達すべく集音空間１１内の右側縁に沿って開設された上下方向に細長い集音孔１２と、集音孔１２の下端から下方へ延設された凹状の第１水抜き溝１３とからなる。第１水抜き溝１３は、左右方向への幅０．５ｍｍ、前後方向への深さ０．２ｍｍとされており、集音孔１２に停溜しようとする水滴を毛細管現象により溝内へ引き込んで下方へ流すようになっている。また、集音空間１１の周縁には、浅い凹状の当接凹部１４が設けられており、化粧パネル２を取り付けた際に、化粧パネル２に突設されている遮音突起１５の後端面が当接するようになっている。
【００１３】
次に、化粧パネル２のマイク部７に対応する箇所について、図５をもとに詳細に説明する。図５は、化粧パネル２後面のマイク孔２３近傍を拡大して示した斜視説明図である。
化粧パネル２は、中央に呼出ボタン６やスピーカ部８、カメラ部９等を露出させるための窓２１が開設された板状部材であって、本体ケース５の各係止孔１０と対応する位置には、矢尻状の係止片２２が後方へ突設されている。また、マイク部７と対応する位置には、集音孔１２を露出させるためのマイク孔２３が開設されている。
【００１４】
さらに、化粧パネル２の後面には、一対の第２水抜き溝２４、２４が刻設されている。当該第２水抜き溝２４、２４は、左右方向への幅０．７ｍｍ、前後方向への深さ０．５ｍｍとされ、マイク孔２３の左右両側縁に沿って、マイク孔２３の下縁よりも下方まで延設されており、マイク孔２３を介して化粧パネル２と前ケース３との間に浸入した水を毛細管現象により溝内へ引き込んで下方へ流すようになっている。
【００１５】
加えて、上記マイク孔２３及び第２水抜き溝２４、２４の外側を囲うように、コ字状の遮音突起１５が後方へ突設されている。当該遮音突起１５は、下方へ開放する姿勢で設けられており、第２水抜き溝２４、２４による下方への水の流れを阻害しないようになっている。また、遮音突起１５は、化粧パネル２の本体ケース５への取り付けに伴って前ケース３の当接凹部１４に当接し、集音空間１１を上方及び左右側方から覆うようになっている。
【００１６】
ここで、上記インターホン子機１における水抜き作用について説明する。
インターホン子機１は、本体ケース５の前面に化粧パネル２を取り付けた状態にて玄関等に設置されており、マイク部７において、水は、まず化粧パネル２のマイク孔２３を介して浸入することになる。しかしながら、インターホン子機１では、第２水抜き溝２４、２４によりマイク孔２３を介して浸入した水を下方へ導き、マイク部７、すなわち集音孔１２等への到達を抑止する。尚、遮音突起１５により、マイク孔２３を介して浸入した水の周囲への不必要な拡散が防止され、効率良く第２水抜き溝２４、２４により水抜きされることになる。また、第２水抜き溝２４により下方へ導かれた水は、前ケース３の前面又は化粧パネル２の後面をつたってインターホン子機１の底部まで流れおち、前ケース３の前面に形成された水抜き凹部３０、３０を介して外部へ排出される。
【００１７】
また、第２水抜き溝２４、２４を設けていたとしても、水が、集音空間１１まで到達して集音孔１２を塞ぐように溜まろうとすることもある。しかしながら、インターホン子機１では、当該水を第１水抜き溝１３により下方へ導き、集音孔１２での停溜、及び集音孔１２を介しての本体ケース５内への浸入を防止する。尚、第１水抜き溝１３により下方へ導かれる水も、上記同様、インターホン子機１の底部まで流れおちた後、水抜き凹部３０、３０を介して排出される。
【００１８】
以上のような構成を有するインターホン子機１によれば、前ケース３に開設された集音孔１２の下端から下方へ第１水抜き溝１３を延設しており、集音孔１２に停溜しようとする水を下方へ流すようになっている。したがって、集音孔１２を覆うように水が溜まり、マイクに声が届きにくくなる等といった事態を防止することができるとともに、本体ケース５内への水の浸入防止機能を高めることにもなる。
【００１９】
また、本体ケース５前面から更に前方へ突出する突起等を設けているわけではないため、本体ケース５前面（マイク部７周縁）をフラット状に成形することができ、化粧パネル２側の構成を簡素化することが可能であるし、化粧パネル２に代えて従来用いていた化粧パネル等を使用することも可能であり、汎用性に富む。
【００２０】
さらに、化粧パネル２の後面に、一対の第２水抜き溝２４、２４を、マイク孔２３の左右両側縁に沿ってマイク孔２３下縁よりも下方まで延設しており、マイク孔２３を介して浸入してきた水を下方へ流すようになっている。したがって、集音孔１２への停溜防止機能、及び本体ケース５内への水の浸入防止機能の一層の向上を図ることができる。
【００２１】
さらにまた、化粧パネル２に、マイク孔２３及び第２水抜き溝２４、２４の外側を囲うように遮音突起１５を設けており、化粧パネル２の本体ケース５への取り付け時に当該遮音突起１５が前ケース３の当接凹部１４に当接するようにしているため、マイク孔２３を介して浸入した水の周囲への不必要な拡散を防止することができる。したがって、本体ケース５内への水の浸入防止機能の更なる向上は勿論のこと、第２水抜き溝２４、２４による水抜き動作をより効率良く行うことができる。
【００２２】
加えて、上記遮音突起１５により集音空間１１が上方及び左右側方から覆われるようになるため、スピーカ部８から報音された音声のマイクへの到達を抑止することができ、親機側において来訪者の声に雑音が混じったりせず、好適な通話が可能となる。
【００２３】
なお、本発明に係るインターホン子機は、上記実施形態に記載の態様に何ら限定されるものではなく、本体ケース、及び化粧パネルに係る構成を、本発明の趣旨を逸脱しない範囲で、必要に応じて適宜変更することができる。
【００２４】
たとえば、化粧パネルの形状・デザイン等は適宜変更可能であって、上記実施形態に記載の化粧パネル２に代えて、図６に示すような平板状の化粧パネル（所謂、ドア袖パネル）３５を使用することも可能である。尚、図６において、化粧パネル２と同様の構成要素については、同じ符号を付している。また、当該化粧パネル３５は、その後面に化粧パネル２同様の第２水抜き溝２４や遮音突起１５等を備えていてもよいし、備えていなくともよい。
また、化粧パネル側に設ける第２水抜き溝２４の寸法や数、第２水抜き溝２４のそもそもの有無についても適宜設計変更可能であって、第２水抜き溝２４を１つしか有さない化粧パネルや第２水抜き溝２４を備えていない化粧パネルを本体ケースに取り付けて、インターホン子機１を構成することは当然可能である。
さらに、第１水抜き溝１３の寸法等についても適宜設計変更可能であることは言うまでもない。
加えて、遮音突起１５の形状等についても上記実施形態に記載したものに何ら限定されることはなく、化粧パネルの取り付け時に本体ケース５前面と当接ではなく近接するように設けたとしても同様の効果を奏し得る。
【図面の簡単な説明】
【００２５】
【図１】インターホン子機を正面側から示した説明図である。
【図２】インターホン子機を底面側から示した説明図である。
【図３】化粧パネルを取り外した状態のインターホン子機を示した説明図である。
【図４】本体ケースのマイク部近傍を拡大して示した斜視説明図である。
【図５】化粧パネル後面のマイク孔近傍を拡大して示した斜視説明図である。
【図６】化粧パネルの変更例を示した説明図である。
【符号の説明】
【００２６】
１・・インターホン子機、２、３５・・化粧パネル、３・・前ケース、４・・後ケース、５・・本体ケース、７・・マイク部、１１・・集音空間、１２・・集音孔、１３・・第１水抜き溝、１４・・当接凹部、１５・・遮音突起（凸条部）、２１・・窓、２２・・係止片、２３・・マイク孔、２４・・第２水抜き溝、３０・・水抜き凹部。
【図１】
2009147737.tif 000003
【図２】
2009147737.tif 000004
【図３】
2009147737.tif 000005
【図４】
2009147737.tif 000006
【図５】
2009147737.tif 000007
【図６】
2009147737.tif 000008